(57)【特許請求の範囲】
【請求項１】
外枠を有する絶縁性の壁部で内部領域を形成する第１のハウジング、および前記壁部から前記第１のハウジングの外部に向かって延びた導電性の部材である第１のコンタクトを有する第１のコネクタと、
前記第１のハウジングの内部領域に少なくとも一部が配置される絶縁性の壁部からなる第２のハウジング、および前記第２のハウジングの壁部から前記第２のハウジングの外部に向かって延びた導電性の部材である第２のコンタクトを有する第２のコネクタと、を備え、
前記第１のハウジングと前記第２のハウジングとを嵌合させることで、前記第１のコンタクトと前記第２のコンタクトとが電気的に接続される電気コネクタであって、
前記第１のコネクタまたは前記第２のコネクタのうちの一方のコネクタは、
他方のコネクタとの嵌合を維持するためのボルトを挿入可能であり、且つ、前記嵌合を解除する際に前記挿入された前記ボルトを抜き取り可能な貫通孔が形成された基板に実装されており、
前記他方のコネクタは、
前記貫通孔に挿入された前記ボルトの、コネクタ同士が嵌合した際における位置に対応して設けられており、前記挿入された前記ボルトと係止可能に構成されたナットを、開口を介して内部空間に収容可能な収容部と、
前記収容部に収容された前記ナットを、前記収容部の前記開口を塞ぐことで保持するものであり、前記貫通孔に挿入された前記ボルトが前記内部空間に到達して前記ナットに螺合することを可能にする透孔が形成されている保持部と、
を備え、
前記収容部は、前記コネクタ同士が嵌合した際における前記貫通孔に面するように前記開口が形成されており、前記開口を介して前記内部空間に収容された前記ナットの側面のうちの対向する一対の側面を挟持する挟持壁を有し、
前記保持部は、
前記収容部の前記開口を塞ぐ、前記透孔が形成された板状の天板と、
前記天板の両端に設けられており、前記挟持壁の外壁部分に沿って配置される板状の一対の壁板と、
を備える、
電気コネクタ。
【請求項２】
前記保持部は、金属製である、
請求項１に記載の電気コネクタ。
【請求項３】
前記一対の壁板は、それぞれの開放端に、前記他方のコネクタを実装する基板に接続可能な接続部を備える、
請求項２に記載の電気コネクタ。
【請求項４】
前記収容部は、前記一対の壁板に備えられた前記接続部よりも、前記他方のコネクタが実装される基板の裏面側に延設されており、
前記他方のコネクタは、前記収容部の一部を埋め込み可能な開孔が形成された基板に、前記収容部が前記開孔に埋め込まれた状態で実装されている、
請求項３に記載の電気コネクタ。
【請求項５】
前記収容部は、前記他方のコネクタの前記ハウジングの両端に配置されている、
請求項１に記載の電気コネクタ。
【発明の詳細な説明】
【技術分野】
【０００１】
本発明は、電気コネクタに関する。
【背景技術】
【０００２】
嵌合可能に構成された２つのコネクタが嵌め合わされることで、一方のコネクタが実装された基板と他方のコネクタが実装された基板とを電気的に接続する電気コネクタとして、例えば、特許文献１に記載の電気コネクタが知られている。
【０００３】
この電気コネクタは、プラグコネクタに設けられたプラグ補強金具とリセプタクルコネクタに設けられたリセプタクル補強金具とを備える。作業者は、コネクタ同士を嵌合させ、プラグ補強金具の係合突起を、リセプタクル補強金具の係合孔に係合させることで、プラグコネクタとリセプタクルコネクタとを、嵌合が維持された状態にする。
【０００４】
プラグコネクタとリセプタクルコネクタとの嵌合を解除する際、作業者は、まず、特殊な治具である鋏状の治具の先端を、プラグコネクタが実装された基板の解除孔に挿入する。そして、作業者は、治具の先端を、リセプタクル補強金具に設けられた治具挿入孔に挿入する。更に、作業者は、治具を操作して、リセプタクル補強金具を弾性変形させ、プラグ補強金具の係合突起をリセプタクル補強金具の係合孔から離すことで、係合突起と係合孔との係合を解除する。この状態を維持した上で、作業者は、プラグコネクタとリセプタクルコネクタとを引き離すことで、コネクタ同士の嵌合を解除する。
【０００５】
よって、特許文献１に記載の電気コネクタによれば、係合突起と係合孔との係合が、例えば作業者の予期せぬ動作によって、誤って解除されることを防止可能である。
【先行技術文献】
【特許文献】
【０００６】
【特許文献１】特開２０１１−６５８６１号公報
【発明の概要】
【発明が解決しようとする課題】
【０００７】
特許文献１に記載されている電気コネクタでは、前述の通り、コネクタ同士の嵌合を解除する際、特殊な治具である鋏状の治具が必要である。また、嵌合を解除する際、作業者は、鋏状の治具の先端を、基板の解除孔に挿入し、リセプタクル補強金具の治具挿入孔に挿入し、更には、治具を操作して、リセプタクル補強金具を弾性変形させた状態を維持しなければならない。
【０００８】
よって、特許文献１に記載されている電気コネクタによれば、特殊な治具が必要である上、コネクタ同士の嵌合の解除が煩雑であるという問題点がある。
【０００９】
本発明は、上記実情に鑑みてなされたものであり、コネクタ同士の嵌合を確実に維持できる上に、コネクタ同士の嵌合の解除の際に、特殊な治具が不要であり、その解除が容易な電気コネクタを提供することを目的とする。
【課題を解決するための手段】
【００１０】
上記目的を達成するために、この発明に係る電気コネクタは、
外枠を有する絶縁性の壁部で内部領域を形成する第１のハウジング、および前記壁部から前記第１のハウジングの外部に向かって延びた導電性の部材である第１のコンタクトを有する第１のコネクタと、
前記第１のハウジングの内部領域に少なくとも一部が配置される絶縁性の壁部からなる第２のハウジング、および前記第２のハウジングの壁部から前記第２のハウジングの外部に向かって延びた導電性の部材である第２のコンタクトを有する第２のコネクタと、を備え、
前記第１のハウジングと前記第２のハウジングとを嵌合させることで、前記第１のコンタクトと前記第２のコンタクトとが電気的に接続される電気コネクタであって、
前記第１のコネクタまたは前記第２のコネクタのうちの一方のコネクタは、
他方のコネクタとの嵌合を維持するためのボルトを挿入可能であり、且つ、前記嵌合を解除する際に前記挿入された前記ボルトを抜き取り可能な貫通孔が形成された基板に実装されており、
前記他方のコネクタは、
前記貫通孔に挿入された前記ボルトの、コネクタ同士が嵌合した際における位置に対応して設けられており、前記挿入された前記ボルトと係止可能に構成されたナットを、開口を介して内部空間に収容可能な収容部と、
前記収容部に収容された前記ナットを、前記収容部の前記開口を塞ぐことで保持するものであり、前記貫通孔に挿入された前記ボルトが前記内部空間に到達して前記ナットに螺合することを可能にする透孔が形成されている保持部と、
を備え、
前記収容部は、前記コネクタ同士が嵌合した際における前記貫通孔に面するように前記開口が形成されており、前記開口を介して前記内部空間に収容された前記ナットの側面のうちの対向する一対の側面を挟持する挟持壁を有し、
前記保持部は、
前記収容部の前記開口を塞ぐ、前記透孔が形成された板状の天板と、
前記天板の両端に設けられており、前記挟持壁の外壁部分に沿って配置される板状の一対の壁板と、
を備える。
【００１５】
また、前記保持部は、金属製である、
ものでもよい。
【００１６】
また、前記一対の壁板は、それぞれの開放端に、前記他方のコネクタを実装する基板に接続可能な接続部を備える、
ものでもよい。
【００１７】
また、前記収容部は、前記一対の壁板に備えられた前記接続部よりも、前記他方のコネクタが実装される基板の裏面側に延設されており、
前記他方のコネクタは、前記収容部の一部を埋め込み可能な開孔が形成された基板に、前記収容部が前記開孔に埋め込まれた状態で実装されている、
ものでもよい。
【００１８】
また、前記収容部は、前記他方のコネクタの前記ハウジングの両端に配置されている、
ものでもよい。
【発明の効果】
【００１９】
ハウジング同士を嵌合させる際、作業者は、一方のコネクタが実装された基板の貫通孔に係止部材を挿入し、その係止部材を、他方のコネクタの収容部に収容された被係止部材と係止させればよい。一方、ハウジング同士の嵌合を解除する際、作業者は、係止部材と被係止部材との係止を、例えば汎用的な治具等で解除すればよい。よって、本発明の電気コネクタによれば、コネクタ同士の嵌合を確実に維持できる上に、コネクタ同士の嵌合の解除の際、特殊な治具が不要であり、その解除が容易である。
【図面の簡単な説明】
【００２０】
【図１】本発明の実施の形態に係る電気コネクタが基板に実装されたときの側面図である。
【図２】図１において、リセプタクルコネクタ側からプラグコネクタを見た斜視図である。
【図３】回路基板に実装されたリセプタクルコネクタの斜視図である。
【図４】取付部材を取り付ける前の収容部を拡大した斜視図である。
【図５】（ａ）は、収容部および保持部を拡大した斜視図であり、（ｂ）は、（ａ）の一部を便宜的に切り欠いた斜視図である。
【図６】（ａ）は、リセプタクルコネクタの側面図であり、（ｂ）は、リセプタクルコネクタが実装される回路基板の斜視図である。
【図７】（ａ）は、回路基板に実装されたリセプタクルコネクタの上面図であり、（ｂ）は、（ａ）のＡ−Ａ線での断面図であり、（ｃ）は、（ａ）のＢ−Ｂ線での断面図である。
【図８】（ａ）は、プラグコネクタをリセプタクルコネクタに嵌合させる前の斜視図であり、（ｂ）は、（ａ）の一部を拡大して、一部を便宜的に切り欠いた斜視図である。
【図９】（ａ）は、プラグコネクタをリセプタクルコネクタに嵌合させたときの斜視図であり、（ｂ）は、（ａ）の一部を拡大して、一部を便宜的に切り欠いた斜視図である。
【図１０】（ａ）は、プラグコネクタをリセプタクルコネクタに嵌合させ、収容されたナットにボルトを螺合させたときの斜視図であり、（ｂ）は、（ａ）の一部を拡大して、一部を便宜的に切り欠いた斜視図である。
【図１１】リセプタクルコネクタの変形例の斜視図である。
【発明を実施するための形態】
【００２１】
以下、本発明の実施の形態に係る電気コネクタ１０を、図面を参照して説明する。なお、各図において、電気コネクタ１０の短手方向をｘ軸方向、長手方向をｙ軸方向、高さ方向をｚ軸方向とする直交座標系を設定し、適宜参照する。また、各軸の矢印方向を＋（プラス）で示し、その反対方向を−（マイナス）で示す。
【００２２】
電気コネクタ１０は、図１の側面図に示すように、プラグコネクタ２０と、プラグコネクタ２０に嵌合されるリセプタクルコネクタ４０とを備える。プラグコネクタ２０とリセプタクルコネクタ４０とは、それぞれ、基板に実装されている。
【００２３】
電気コネクタ１０の嵌合を維持させる際、作業者は、プラグコネクタ２０をリセプタクルコネクタ４０に嵌合させる。そして、作業者は、プラグコネクタ２０が実装されたフレキシブル基板Ｋａに形成された貫通孔Ｈｒ１に、汎用的なボルトＢｔを挿入し、そのボルトＢｔを、リセプタクルコネクタ４０に収容された汎用的なナットに螺合（係止）する。これにより、電気コネクタ１０は、嵌合が維持された状態になる。
【００２４】
プラグコネクタ２０は、図２の斜視図（図１において、リセプタクルコネクタ４０側からプラグコネクタ２０を見た斜視図）に示すように、リセプタクルコネクタ４０の内部領域に少なくとも一部が配置される矩形状の枠であり、絶縁性の壁部からなるプラグ用ハウジング２１を備える。プラグ用ハウジング２１は、例えば、プラスチック製である。プラグ用ハウジング２１は、ｘｙ平面上に配置されている。
【００２５】
また、プラグコネクタ２０は、プラグ用ハウジング２１の短手方向の両端に配置されているプラグ用コンタクト２２を備える。プラグ用コンタクト２２は、導電性の部材（例えば、銅合金の平板材等）である。
【００２６】
プラグ用コンタクト２２は、プラグ用ハウジング２１の内壁面からプラグ用ハウジング２１の外壁面を伝い、プラグ用ハウジング２１の外部に向かって延びている。プラグ用コンタクト２２の接続端は、例えば、柔軟性が高いフレキシブル基板Ｋａの電極にハンダ付けされる。これにより、プラグコネクタ２０はフレキシブル基板Ｋａに実装される。
【００２７】
フレキシブル基板Ｋａには、リセプタクルコネクタ４０との嵌合を維持するためのボルトＢｔを挿入可能であり、且つ、コネクタ同士の嵌合を解除する際にボルトＢｔを抜き取り可能な、貫通孔Ｈｒ１が形成されている。
【００２８】
上述したプラグコネクタ２０に嵌合されるリセプタクルコネクタ４０は、図３の斜視図に示すように、プラグ用ハウジング２１を収容するための内部領域を絶縁性の壁部で形成する、略矩形状の枠であるリセプタクル用ハウジング４１を備える。リセプタクル用ハウジング４１は、例えばプラスチック製である。リセプタクル用ハウジング４１は、ｘｙ平面上に配置されている。
【００２９】
リセプタクル用ハウジング４１は、外枠で囲まれた領域内に、一体成形された略直方体状のブロック部４２を備える。ブロック部４２とリセプタクル用ハウジング４１とで形成された内部領域に、プラグ用ハウジング２１が収容される。リセプタクル用ハウジング４１は、後述する枠部４６に係止される突起４１ａを備える。
【００３０】
また、リセプタクルコネクタ４０は、ブロック部４２の短手方向の壁面から、リセプタクル用ハウジング４１の短手方向の壁面を伝い、リセプタクル用ハウジング４１の外部に向かって延びた導電性の部材であるリセプタクル用コンタクト４３を備える。
【００３１】
リセプタクル用コンタクト４３は、例えば、銅合金の平板材等である。リセプタクル用コンタクト４３の接続端４３ａは、例えば、柔軟性が低い回路基板Ｋｂの電極にハンダ付けされる。これにより、リセプタクルコネクタ４０が回路基板Ｋｂに実装される。
【００３２】
また、リセプタクルコネクタ４０は、フレキシブル基板Ｋａの貫通孔Ｈｒ１に挿入されたボルトＢｔと係止可能に構成されたナットを、内部空間に収容可能な収容部４４を備える。
【００３３】
収容部４４は、リセプタクル用ハウジング４１の長手方向の両端であり、且つ、フレキシブル基板Ｋａの貫通孔Ｈｒ１に挿入されたボルトＢｔの、コネクタ同士が嵌合した際における位置に対応して設けられている。
【００３４】
収容部４４には、図４の部分斜視図（後述する取付部材４５を取り付ける前の状態を示した部分斜視図）に示すように、コネクタ同士が嵌合した際における貫通孔Ｈｒ１に面するように、開口Ｈｒ２が形成されている。作業者は、リセプタクルコネクタ４０の組み立ての際、この開口Ｈｒ２を介して、即ち、この開口Ｈｒ２を入り口として、ナットＮｔを内部空間ＳＰに収容する。
【００３５】
収容部４４は、リセプタクルコネクタ４０の長手方向に配置された一対の側壁４４ａと、一対の側壁４４ａ間に配置された一対の挟持壁４４ｂと、を備える。一対の側壁４４ａは、一対の挟持壁４４ｂと共に、ナットＮｔを収容する内部空間ＳＰを形成する。
【００３６】
一対の挟持壁４４ｂは、内部空間ＳＰに収容されたナットＮｔの側面のうちの対向する一対の側面を挟持するように配置されている。これにより、ボルトＢｔとナットＮｔとが螺合される際にナットＮｔから受ける回転トルクを、一対の挟持壁４４ｂに集中させることができる。
【００３７】
なお、一対の挟持壁４４ｂは、内部空間ＳＰに収容されたナットＮｔの一対の側面に当接して挟持してもよく、或いは、ナットＮｔの一対の側面との間に、ナットＮｔの内部空間ＳＰ内での回転を防止できる程度の隙間を設けて、ナットＮｔの一対の側面を挟持してもよい。
【００３８】
また、リセプタクルコネクタ４０は、図３の斜視図に示すように、リセプタクル用ハウジング４１に取り付けられる、金属板で一体成形された取付部材４５を備える。取付部材４５は、リセプタクル用ハウジング４１の短手方向における両端の外壁面に配置される枠部４６と、収容部４４の開口Ｈｒ２を塞ぐ保持部４７とを備える。
【００３９】
枠部４６は、その一部が、リセプタクル用コンタクト４３の複数のグランド端子に接続されている。これにより、枠部４６は、各グランド端子の電位を略同電位にする。また、枠部４６には、リセプタクル用ハウジング４１の突起４１ａを係止可能な係止孔４６ａが形成されている。また、枠部４６は、外方に張り出した枠部用接続部４６ｂを備える。
【００４０】
枠部用接続部４６ｂは、係止孔４６ａに突起４１ａが係止された状態で、回路基板Ｋｂの金属層（例えば、導電路等）にハンダ付けされる。これにより、枠部用接続部４６ｂは、リセプタクル用ハウジング４１を回路基板Ｋｂに強固に固定する。
【００４１】
保持部４７は、収容部４４の開口Ｈｒ２を塞ぐことで、収容部４４に収容されたナットＮｔを保持する。保持部４７には、フレキシブル基板Ｋａの貫通孔Ｈｒ１に挿入されたボルトＢｔが、収容部４４の内部空間ＳＰに到達してボルトＢｔに螺合することを可能にする、透孔４７ａが形成されている。
【００４２】
保持部４７は、図５（ａ）の部分斜視図および図５（ｂ）の部分斜視図（図５（ａ）に示す電気コネクタ１０等の一部を便宜的に切り欠いている）に示すように、透孔４７ａが形成された板状の天板４７ｂを備える。また、保持部４７は、天板４７ｂのｘ方向の両端に設けられており、収容部４４の外壁に沿って配置される板状の一対の壁板４７ｃを備える。
【００４３】
天板４７ｂは、収容部４４の開口Ｈｒ２を塞ぐ。このとき、天板４７ｂに形成された透孔４７ａは、コネクタ同士の嵌合の際におけるボルトＢｔに対応した位置に配置される。
【００４４】
また、一対の壁板４７ｃは、一対の挟持壁４４ｂに沿って配置される。即ち、一対の壁板４７ｃは、ボルトＢｔとナットＮｔとが螺合されている際にナットＮｔから受ける回転トルクが集中する部分に沿って配置される。これにより、一対の壁板４７ｃは、ナットＮｔから受ける回転トルクが大きくなっても、収容部４４が破損することを防止できる。
【００４５】
また、一対の壁板４７ｃは、それぞれの開放端に、外方に張り出した壁板用接続部４７ｄを備える。壁板用接続部４７ｄは、回路基板Ｋｂの金属層（例えば、導電路等）にハンダ付けされる。ハンダ付けされた壁板用接続部４７ｄによっても、ナットＮｔから受ける回転トルクが大きくなった際の収容部４４の破損を防止できる。
【００４６】
ここで、収容部４４の底面４４ｃは、図６（ａ）の側面図に示すように、リセプタクル用コンタクト４３の接続端４３ａと異なる高さに配置され、リセプタクル用ハウジング４１の底面４１ｂおよび壁板用接続部４７ｄよりも、先まで延設されている。このため、回路基板Ｋｂには、図６（ｂ）の斜視図に示すように、収容部４４の一部を埋め込み可能な開孔Ｋｂｈが形成されている。
【００４７】
収容部４４の一部が開孔Ｋｂｈに埋め込まれた状態になると、図７（ｂ）の断面図（図７（ａ）のＡ−Ａ線での断面図）、および、図７（ｃ）の断面図（図７（ａ）のＢ−Ｂ線での断面図）に示すように、壁板用接続部４７ｄは、回路基板Ｋｂの実装面Ｓａに接触した状態になる。同様に、リセプタクル用コンタクト４３の接続端４３ａ、および枠部用接続部４６ｂも、回路基板Ｋｂの実装面Ｓａに接触した状態になる。
【００４８】
このように、リセプタクルコネクタ４０では、収容部４４の一部を開孔Ｋｂｈに埋め込むことができる。よって、リセプタクルコネクタ４０は、実装面Ｓａからの高さ（＋ｚ方向の長さ）を抑制できる（低背化できる）。
【００４９】
また、収容部４４の一部を開孔Ｋｂｈに埋め込むことができるので、収容部４４の底面４４ｃを、リセプタクル用ハウジング４１の底面４１ｂおよび壁板用接続部４７ｄよりも、回路基板Ｋｂの裏面Ｓｂ側に（壁板用接続部４７ｄが実装される実装面Ｓａとは反対の面側に）、延設することができる。
【００５０】
このように、収容部４４の底面４４ｃを裏面Ｓｂ側に延設することで（収容部４４の底面４４ｃを−ｚ方向に延設することで）、ボルトＢｔを挿入する穴が深いナットＮｔを、収容部４４に収容できる。つまり、ナットＮｔの穴の内周壁に形成された溝の数が（ボルトＢｔとの噛み合い（係止）を実現するためのねじ山の数が）、所望の数を満たすナットＮｔを、収容部４４に収容ができる。
【００５１】
これにより、電気コネクタ１０は、コネクタ同士の嵌合を維持する際、フレキシブル基板Ｋａの貫通孔Ｈｒ１に挿入されたボルトＢｔと、収容部４４に収容されたナットＮｔとの、強固な螺合を実現できる。
【００５２】
上述したプラグコネクタ２０とリセプタクルコネクタ４０とを嵌合させる場合、作業者は、図８（ａ）の斜視図および図８（ｂ）の部分斜視図（図８（ａ）に示す電気コネクタ１０等の一部を便宜的に切り欠いている）に示すように、例えばフレキシブル基板Ｋａに実装されたプラグコネクタ２０を、例えば回路基板Ｋｂに実装されたリセプタクルコネクタ４０に正対させる。
【００５３】
そして、作業者は、図９（ａ）の斜視図および図９（ｂ）の部分斜視図（図９（ａ）に示す電気コネクタ１０等の一部を便宜的に切り欠いている）に示すように、プラグ用ハウジング２１をリセプタクル用ハウジング４１に嵌合させる。
【００５４】
その後、作業者は、フレキシブル基板Ｋａに設けられている貫通孔Ｈｒ１にボルトＢｔを挿入する。そして、作業者は、ボルトＢｔの先端を、保持部４７の透孔４７ａに挿通し、収容部４４の内部空間ＳＰに到達させる。その後、作業者は、ボルトＢｔの先端を、ナットＮｔの穴に接触させて、汎用的な治具である例えばドライバー等で回す。
【００５５】
これにより、図１０（ａ）の斜視図に示すように、ボルトＢｔがねじ込まれ、図１０（ｂ）の部分斜視図（図１０（ａ）に示す電気コネクタ１０等の一部を便宜的に切り欠いている）に示すように、貫通孔Ｈｒ１に挿入されたボルトＢｔと収容部４４に収容されたナットＮｔとが螺合（係止）する。よって、プラグコネクタ２０とリセプタクルコネクタ４０との嵌合が維持される。
【００５６】
なお、プラグコネクタ２０とリセプタクルコネクタ４０とが嵌合すると、プラグ用コンタクト２２とリセプタクル用コンタクト４３とが接触する。よって、プラグ用コンタクト２２に接続されたフレキシブル基板Ｋａの配線と、リセプタクル用コンタクト４３に接続された回路基板Ｋｂの配線とが、電気的に接続される。
【００５７】
コネクタ同士の嵌合が維持された後、例えばプラグコネクタ２０の交換のために、プラグコネクタ２０とリセプタクルコネクタ４０との嵌合を解除する場合、作業者は、ナットＮｔに螺合されているボルトＢｔを、汎用的な治具である例えばドライバー等を用いて、螺合させる場合とは反対の向きに回す。
【００５８】
すると、ボルトＢｔとナットＮｔとの螺合が解除される。これにより、プラグコネクタ２０とリセプタクルコネクタ４０との嵌合が解除可能になる。この状態で、作業者は、ボルトＢｔを、透孔４７ａおよび貫通孔Ｈｒ１から抜き取り、プラグコネクタ２０とリセプタクルコネクタ４０とを引き離し、例えばプラグコネクタ２０を交換したりする。
【００５９】
上述したように、本実施の形態の電気コネクタ１０によれば、プラグコネクタ２０とリセプタクルコネクタ４０とを嵌合させる際、作業者は、プラグコネクタ２０が実装されたフレキシブル基板Ｋａの貫通孔Ｈｒ１にボルトＢｔを挿入し、そのボルトＢｔと、リセプタクルコネクタ４０の収容部４４に収容されたナットＮｔとを、汎用的な治具である例えばドライバー等で螺合（係止）させればよい。
【００６０】
一方、ハウジング同士の嵌合を解除する際、作業者は、ボルトＢｔとナットＮｔとの螺合を、汎用的な治具である例えばドライバー等で解除すればよい。よって、電気コネクタ１０によれば、コネクタ同士の嵌合を確実に維持できる上に、コネクタ同士の嵌合の解除の際、特殊な治具が不要であり、その解除が容易である。
【００６１】
また、本実施の形態の電気コネクタ１０では、収容部４４を構成する一対の挟持壁４４ｂは、内部空間ＳＰに収容されたナットＮｔの側面のうちの、対向する一対の側面を挟持する。これにより、ボルトＢｔとナットＮｔとが螺合される際にナットＮｔから受ける回転トルクを、一対の挟持壁４４ｂに集中させることができる。
【００６２】
そして、この一対の挟持壁４４ｂに沿って、即ち、ナットＮｔから受ける回転トルクが集中する部分に沿って、一対の壁板４７ｃが配置されている。これにより、電気コネクタ１０によれば、ナットＮｔから螺合の際に瞬間的に受ける回転トルクが大きくなっても、収容部４４が破損することを防止できる。
【００６３】
また、一対の壁板４７ｃが配置されているので、ボルトＢｔとナットＮｔとの螺合およびその解除の回数が累積増加して、ナットＮｔから一対の挟持壁４４ｂに回転トルクが加えられた回数が累積増加しても、収容部４４が破損することを防止できる。
【００６４】
また、一対の壁板４７ｃを備える保持部４７は、金属製である。よって、保持部４７が例えばプラスチック製である場合と比較して、回転トルクを受けることによる収容部４４の破損を、より防止できる。
【００６５】
また、一対の壁板４７ｃは、それぞれの開放端に、壁板用接続部４７ｄを備える。この壁板用接続部４７ｄが回路基板Ｋｂの金属層（例えば、導電路等）にハンダ付けされることで、収容部４４の破損を更に防止できる。
【００６６】
また、本実施の形態の電気コネクタ１０では、収容部４４の一部を開孔Ｋｂｈに埋め込むことができる。よって、本実施の形態の電気コネクタ１０によれば、回路基板Ｋｂの実装面Ｓａからのリセプタクルコネクタ４０の高さ（＋ｚ方向の長さ）を、抑制できる（低背化できる）。
【００６７】
また、収容部４４の一部を開孔Ｋｂｈに埋め込むことで、回路基板Ｋｂの裏面Ｓｂ側に、収容部４４の底面４４ｃを延設することが可能である。これにより、ボルトＢｔを挿入する穴が深いナットＮｔを、収容部４４に収容できる。
【００６８】
よって、本実施の形態の電気コネクタ１０では、ナットＮｔの穴の内周壁に形成された溝の数が（ボルトＢｔとの噛み合い（係止）を実現するための溝の数が）、所望の数を満たすナットＮｔを、収容部４４に収容することができる。
【００６９】
従って、本実施の形態の電気コネクタ１０によれば、コネクタ同士の嵌合を維持する際、貫通孔Ｈｒ１に挿入されたボルトＢｔと、収容部４４に収容されたナットＮｔとの、強固な螺合を実現できる。
【００７０】
また、本実施の形態の電気コネクタ１０では、収容部４４が、リセプタクル用ハウジング４１の長手方向の両端に配置されている。よって、本実施の形態の電気コネクタ１０によれば、コネクタ同士の嵌合を、バランスよく強固に、維持できる。
【００７１】
以上、本発明の実施の形態を説明したが、この発明は上記の実施の形態に限定されず、種々の変形および応用が可能である。
【００７２】
上述した実施の形態の電気コネクタ１０では、ナットＮｔの入り口となる、収容部４４の開口Ｈｒ２は、コネクタ同士が嵌合した際における貫通孔Ｈｒ１に面するように、フレキシブル基板Ｋａに形成されていた。しかし、これに限られるものではない。
【００７３】
例えば、図１１の斜視図に示すように、リセプタクルコネクタ４０の長手方向の最も外側に位置する収容部４４の端部に、ナットＮｔの入り口となる開口Ｈｒ３が形成されていてもよい。このように開口Ｈｒ３が形成されている場合、リセプタクルコネクタ４０の長手方向の最も外側に位置する保持部４７の開放端に、収容部４４の外壁に沿って開口Ｈｒ３を覆うように、板状の外板４７ｅを配置すればよい。
【００７４】
また、上述した実施の形態の電気コネクタ１０では、プラグコネクタ２０が実装されるフレキシブル基板Ｋａに、貫通孔Ｈｒ１が設けられ、リセプタクルコネクタ４０に、収容部４４および保持部４７が設けられていたが、これに限られるものではない。
【００７５】
プラグコネクタ２０に、収容部４４および保持部４７が設けられ、リセプタクルコネクタ４０が実装される回路基板Ｋｂに、貫通孔Ｈｒ１が設けられていてもよい。
【００７６】
また、上述した実施の形態の電気コネクタ１０では、ナットＮｔの内周壁には、ボルトＢｔとの螺合（係止）を実現するための溝が形成されていたが、これに限られるものではない。即ち、ナットＮｔの内周壁に、溝が形成されていなくてもよい。この構成の場合、ボルトＢｔを作業者がナットＮｔに最初にねじ込む際に、ボルトＢｔのねじ山がナットＮｔの内周壁を削ることで、ナットＮｔの内周壁に溝が形成される。
【００７７】
また、ナットＮｔの内周壁に溝が形成されていない場合、次のような構成であってもよい。即ち、ナットＮｔは、溝の代わりに、軸心に向かって突出した凸部を内周壁に有する。また、ボルトＢｔに代えて、外方に張り出した頭部と頭部よりも径が小さい棒状の軸部とからなるボルト状の部材であって、且つ、軸部に、内部に向かって凹んだ凹部が形成されたものを用いる。
【００７８】
この構成の場合、溝なしナットＮｔの穴にボルト状の部材が挿入された際、溝なしナットＮｔの内周壁に形成された凸部と、ボルト状の部材の軸部に形成された凹部とが、互いに噛み合う（係止される）。このため、プラグコネクタ２０とリセプタクルコネクタ４０とは、嵌合を維持できる。
【００７９】
一方、プラグコネクタ２０とリセプタクルコネクタ４０との嵌合を解除する場合、作業者は、溝なしナットＮｔに係止されているボルト状の部材を、例えば手で引き抜く。これにより、ボルト状の部材と溝なしナットＮｔとの噛み合いが解除され、プラグコネクタ２０とリセプタクルコネクタ４０との嵌合が解除可能になる。
【００８０】
上述した通り、溝なしナットＮｔとボルト状の部材とを用いても、プラグコネクタ２０とリセプタクルコネクタ４０との嵌合、およびその解除を実現できる。
【００８１】
本発明は、本発明の広義の精神と範囲を逸脱することなく、様々な実施形態及び変形が可能とされるものである。また、上述した実施の形態は、本発明を説明するためのものであり、本発明の範囲を限定するものではない。すなわち、本発明の範囲は、上述した実施の形態ではなく、請求の範囲によって示される。そして、請求の範囲内およびそれと同等の発明の意義の範囲内で施される様々な変形が、本発明の範囲内とみなされる。
【符号の説明】
【００８２】
１０  電気コネクタ、２０  プラグコネクタ、２１  プラグ用ハウジング、２２  プラグ用コンタクト、４０  リセプタクルコネクタ、４１  リセプタクル用ハウジング、４１ａ  突起、４１ｂ，４４ｃ  底面、４２  ブロック部、４３  リセプタクル用コンタクト、４３ａ  接続端、４４  収容部、４４ａ  側壁、４４ｂ  挟持壁、４５  取付部材、４６  枠部、４６ａ  係止孔、４６ｂ  枠部用接続部、４７  保持部、４７ａ  透孔、４７ｂ  天板、４７ｃ  壁板、４７ｄ  壁板用接続部、４７ｅ  外板、Ｂｔ  ボルト、Ｈｒ１  貫通孔、Ｈｒ２，Ｈｒ３  開口、Ｋａ  フレキシブル基板、Ｋｂ  回路基板、Ｋｂｈ  開孔、Ｎｔ  ナット、Ｓａ  実装面、Ｓｂ  裏面、ＳＰ  内部空間。
【図１】
0006451232.tif 000002
【図２】
0006451232.tif 000003
【図３】
0006451232.tif 000004
【図４】
0006451232.tif 000005
【図５】
0006451232.tif 000006
【図６】
0006451232.tif 000007
【図７】
0006451232.tif 000008
【図８】
0006451232.tif 000009
【図９】
0006451232.tif 000010
【図１０】
0006451232.tif 000011
【図１１】
0006451232.tif 000012